(57)【特許請求の範囲】
【請求項１】
位置が固定されている第１の軸を回転中心とする駆動ローラと、該第１の軸に平行であって該第１の軸との距離が可変である第２の軸を回転中心とする従動ローラとを有し、該従動ローラを該駆動ローラに向けて押し付けようとする付勢力が該第２の軸に加えられており、該駆動ローラと該従動ローラとの間に情報記録カードを挟み、該駆動ローラの回転により該情報記録カードの搬送をする情報記録カード搬送手段と、
前記第１の軸に対する前記第２の軸の変位を検出する変位センサと、
前記変位センサで検出した前記変位に基づき、前記搬送の方向における前記情報記録カードの位置の情報を生成するカード位置情報生成手段と、
を有し、
前記駆動ローラとこの駆動ローラの回転力で回転する前記従動ローラとでなる一対のローラを１つの搬送ローラと称するとき、前記情報記録カード搬送手段は前記搬送の方向において複数の該搬送ローラを間隔を開けて配設してなり、
前記変位センサは、前記搬送ローラにおける各従動ローラに対応してそれぞれ設けてあり、
前記搬送の方向に間隔を開けて配設された各前記搬送ローラにおける前記駆動ローラと前記従動ローラとによる情報記録カード挟持面を連ねてなる包絡面をカード搬送面と称するとき、前記変位センサは、該カード搬送面に関し、一方の側にだけ設けてあるカードリーダ／ライタ。
【請求項２】
前記搬送の方向は前記第１および第２の軸を含む平面に直交し、
前記駆動ローラと前記従動ローラとの間に情報記録カードが挟まれていないときは、該駆動ローラと該従動ローラとは接触し、
前記変位が第１閾値以下から、第２の閾値以上で、かつ第３の閾値以下の値に上昇したとき、前記カード位置情報生成手段は、前記情報記録カードの前記搬送方向の端が前記駆動ローラと前記従動ローラとの間に位置すると判断し、
前記第１の閾値は、前記従動ローラが前記駆動ローラに接触している状態に対応し、
前記第２および第３の閾値は、前記情報記録カードの規格における許容最小値および許容最大値にそれぞれ対応する
ことを特徴とする請求項１に記載のカードリーダ／ライタ。
【請求項３】
前記変位が第１の閾値と第２の閾値との間の値である時間が、所定時間を越えたとき、前記カード位置情報生成手段が異常の警告を発生することを特徴とする請求項１または２に記載のカードリーダ／ライタ。
【請求項４】
前記変位が第３の閾値を越えたとき、前記カード位置情報生成手段が異常の警告を発生することを特徴とする請求項１ないし３のうちの何れか一項に記載のカードリーダ／ライタ。
【請求項５】
位置が固定されている第１の軸を回転中心とする駆動ローラと、該第１の軸に平行であって該第１の軸との距離が可変である第２の軸を回転中心とし、従動ローラを該駆動ローラに向けて押し付けるように該第２の軸を付勢し、該駆動ローラと該従動ローラとの間に情報記録カードを挟み、該駆動ローラの回転により該情報記録カードの搬送をし、
前記第１の軸に対する前記第２の軸の変位を検出し、
前記変位に基づき、前記搬送の方向における前記情報記録カードの位置の情報を生成し、
前記駆動ローラとこの駆動ローラの回転力で回転する前記従動ローラとでなる一対のローラを１つの搬送ローラと称するとき、前記搬送の方向において複数の該搬送ローラを間隔を開けて配設し、
前記搬送ローラにおける各従動ローラに対応してそれぞれ変位センサを設け、
前記搬送の方向に間隔を開けて配設した各前記搬送ローラにおける前記駆動ローラと前記従動ローラとによる情報記録カード挟持面を連ねてなる包絡面をカード搬送面と称するとき、該カード搬送面に関し、一方の側にだけ前記変位センサを設けるカード位置情報生成方法。
【請求項６】
前記第１および第２の軸を含む平面に直交する方向を前記搬送の方向とし、
前記駆動ローラと前記従動ローラとの間に情報記録カードが挟まれていないときは、該駆動ローラと該従動ローラとを接触させ、
前記変位が第１閾値以下から、第２の閾値以上で、かつ第３の閾値以下の値に上昇したとき、前記情報記録カードの前記搬送方向の端が前記駆動ローラと前記従動ローラとの間に位置すると判断し、
前記第１の閾値は、前記従動ローラが前記駆動ローラに接触している状態に対応し、
前記第２および第３の閾値は、前記情報記録カードの規格における許容最小値および許容最大値にそれぞれ対応する
ことを特徴とする請求項５に記載のカード位置情報生成方法。
【請求項７】
前記変位が第１の閾値と第２の閾値との間の値である時間が、所定時間を越えたとき、異常の警告を発生することを特徴とする請求項５または６に記載のカード位置情報生成方法。
【請求項８】
請求項５ないし７のうちの何れか一項に記載のカード位置情報生成方法を、コンピュータによって実行可能なプログラムとして実施することを特徴とするカード位置情報生成プログラム。
【発明の詳細な説明】
【技術分野】
【０００１】
本発明は、ＡＴＭ（現金自動預け払い機）や、ＰＯＳ（販売時点情報管理）システム等において、磁気カードやＩＣカードといった情報記録カードに対し情報の読取りまたは書込みのうちの少なくとも一方を行うカードリーダ／ライタ、並びにそのカードリーダ／ライタに適用するカード位置情報生成方法およびカード位置情報生成プログラムに関する。
【背景技術】
【０００２】
図３は、特許文献１（特開２００９−３１８９０公報）に開示された情報記録媒体処理装置用カードリーダ１００の主要構成の概要を示す概念図である。この特許文献１の図１および明細書の段落００３３，００３４，００３６等に記載されているように、カードリーダ１００は、磁気カード又はＩＣカードの取り込み口となるカード挿入口１１、外の粉塵や異物が入り込むのを防ぐシャッター１３、このシャッター１３を変位駆動するソレノイド１２、挿入されたカードを搬送する搬送手段、この搬送手段を駆動する駆動モータ１４、センサ１〜５などを有してなる。その搬送手段は、第１の一対のローラ１５，１６，第２の一対のローラ１９，２０及び第３の一対のローラ２３，２４でなる。ローラ１５，１９及び２３は駆動ローラである。ローラ１６，２０及び２４は従動ローラであり、駆動ローラ１５，１９及び２３によりそれぞれ駆動される。
【０００３】
センサ１〜５は、カードリーダ１００内に挿入されたカードの端部を検知する光学式位置検知センサであり、発光素子（フォトダイオード）と受光素子（フォトセンサ）を、搬送路を挟むように配置してなる。センサ１〜５の出力は、発光素子と受光素子との間の光路がカードによって遮られた時に変化する。そこで、センサ１〜５の出力の変化により、カードの端部が発光素子と受光素子との間の光路を通過したことを把握することができる。カードリーダ１００は、センサ１〜５の信号出力に基づいて、搬送方向におけるカードの位置を検出する。
【先行技術文献】
【特許文献】
【０００４】
【特許文献１】特開２００９−３１８９０号公報
【発明の概要】
【発明が解決しようとする課題】
【０００５】
上述のとおり、特許文献１に記載されたカードリーダ１００は、センサ１〜５でなる光学式位置検知センサにより、カードの端が光路を通過した時を表す信号を基にカードの位置情報を生成するカード位置情報生成方法を採用している。ところが、このような光学式位置検知センサによるカード位置情報生成方法では、センサにおける発光素子と受光素子との間の光路に何らかの光遮断物が入り込むと、それがカードではなくても、カードと誤認し、誤ったカード位置情報を生成してしまう。カード以外の光遮断物、即ち異物としては、カードに付着してカードリーダ１００のカード挿入口１１から入り込むレシート（受領書）、糸くず、カードリーダ／ライタの中に溜まった塵の塊などがある。カードリーダ／ライタにおけるカード搬送路付近に溜まった塵の塊が、挿入されたカードに付着することがある。カードリーダ／ライタ中の光路近傍の部材に溜まった塵の塊が光路を遮ることもある。
【０００６】
また、カードに透明な領域があると、光学式位置検知センサは、カードの端だけでなく、カードにおける透明領域と不透明領域との境界も検出するので、不透明カードを対象とする図３のカードリーダ１００では、カードの正しい位置を検出することができない。
【０００７】
さらに、図３の光学式位置検知センサでは、発光素子と受光素子とが、カードの搬送路を挟んでそれぞれの側に配置されるので、部品を一箇所に集約することができず、構成が複雑になり、カードリーダ１００全体の製造費低減を難しくする。
【０００８】
そこで、本発明は、かかる課題を解決するために、カード搬送路に入り込んだレシート等の異物の影響を受け難く、透明領域のあるカードの正しい位置情報も生成でき、しかもカード搬送路の片側にカード位置検出センサの部品を集約できるカードリーダ／ライタ、並びにこのようなカードリーダ／ライタに適用できるカード位置情報生成方法およびカード位置情報生成プログラムの提供を目的とする。
【課題を解決するための手段】
【０００９】
前述の課題を解決するため、本発明によるカードリーダ／ライタ、カード位置情報生成方法およびカード位置情報生成プログラムは、主に、次のような特徴的な構成を採用している。
【００１０】
（１）本発明によるカードリーダ／ライタは、位置が固定されている第１の軸を回転中心とする駆動ローラと、該第１の軸に平行であって該第１の軸との距離が可変である第２の軸を回転中心とする従動ローラとを有し、該従動ローラを該駆動ローラに向けて押し付けようとする付勢力が該第２の軸に加えられており、該駆動ローラと該従動ローラとの間に情報記録カードを挟み、該駆動ローラの回転により該情報記録カードの搬送をする情報記録カード搬送手段と、
前記第１の軸に対する前記第２の軸の変位を検出する変位センサと、
前記変位センサで検出した前記変位に基づき、前記搬送の方向における前記情報記録カードの位置の情報を生成するカード位置情報生成手段と
を有する。
（２）本発明によるカード位置情報生成方法は、位置が固定されている第１の軸を回転中心とする駆動ローラと、該第１の軸に平行であって該第１の軸との距離が可変である第２の軸を回転中心とし、該従動ローラを該駆動ローラに向けて押し付けるように該第２の軸を付勢し、該駆動ローラと該従動ローラとの間に情報記録カードを挟み、該駆動ローラの回転により該情報記録カードの搬送をし、
前記第１の軸に対する前記第２の軸の変位を検出し、
前記変位に基づき、前記搬送の方向における前記情報記録カードの位置の情報を生成する。
（３）また、本発明によるカード位置情報生成プログラムは、上記（２）に記載のカード位置情報生成方法を、コンピュータによって実行可能なプログラムとして実施することを特徴とする。
【発明の効果】
【００１１】
本発明によれば、カード搬送路に入り込んだレシート等の異物の影響を受け難く、透明領域のあるカードの正しい位置情報も生成でき、しかもカード搬送路の片側にカード位置検出センサの部品を集約できるカードリーダ／ライタ、並びにこのようなカードリーダ／ライタに適用できるカード位置情報生成方法およびカード位置情報生成プログラムを提供できる。
【図面の簡単な説明】
【００１２】
【図１】本発明の一実施の形態であるカードリーダ／ライタの主要構成の概要を示す概念図である。
【図２】図１の実施形態におけるカードの搬送方向位置と変位センサ出力との関係を示す図である。
【図３】特許文献１（特開２００９−３１８９０公報）に開示された情報記録媒体処理装置用カードリーダ１００の主要構成の概要を示す概念図である。
【発明を実施するための形態】
【００１３】
以下、本発明によるカードリーダ／ライタ及びカード位置情報生成方法の好適な実施形態について添付図を参照して説明する。なお、以下の説明においては、本発明によるカードリーダ／ライタ及びカード位置情報生成方法について主に説明するが、かかる方法をコンピュータにより実行可能なカード位置情報生成プログラムとして実施するようにしても良いし、あるいはカード位置情報生成プログラムをコンピュータにより読み取り可能な記録媒体に記録するようにしても良いことは言うまでもない。
【００１４】
本実施の形態のカードリーダ／ライタは、磁気カードやＩＣカードといった情報記録カードに対し情報の読取りまたは書込みのうちの少なくとも一方を行う装置である。すなわち、本実施の形態のカードリーダ／ライタは、情報記録カードに記録された情報の読取りのみ装置、情報記録カードに対する情報の書き込みのみを行うカードライタ記録された読取りのみ装置、並びに情報記録カードに記録された情報の読取りおよび情報記録カードに対する情報の書き込みを行う装置の何れとしても実現可能である。
【００１５】
図１は、本発明の一実施の形態であるカードリーダ／ライタの主要構成の概要を示す概念図であり、カードの搬送方向の横からカードリーダ／ライタを見た側面図である。図２は、図１の実施形態におけるカードの搬送方向位置と変位センサ出力との関係を示す図である。図において、１ａ，1ｂ，・・・1ｅは変位センサ、１ａ０，１ｂ０，・・・１ｅ０はそれぞれ変位センサ１ａ，1ｂ，・・・1ｅの出力、２ａ，２ｂ，・・・２ｅは従動ローラ、３ａ，３ｂ，・・・３ｅは駆動ローラ、４は磁気カード、５はカード位置情報生成制御部（前述のカード位置情報生成手段に相当。）、５０はモータ制御信号、６はモータ、７はベルトをそれぞれ示す。カード位置情報生成制御部５は、ＣＰＵ、メモリおよび入出力インターフェースでなる。以下、本実施の形態では、扱う情報記録カードが磁気カード４である場合を説明するが、本実施の形態で扱う情報記録カードは、磁気カード４に限られず、例えばＩＣカードでも差し支えないことは勿論である。
【００１６】
磁気カード４を搬送する駆動系は、モータ６と、駆動ベルト７と、複数の対からなる駆動ローラ３ａ，３ｂ，・・・３ｅと、従動ローラ２ａ，２ｂ，・・・２ｅにて構成される。磁気カード４は、駆動ローラ３ａ，３ｂ，・・・３ｅと従動ローラ２ａ，２ｂ，・・・２ｅとの間に挟まれて、駆動ローラ３ａ，３ｂ，・・・３ｅの回転による力を受けて、図の左側から右側に、または右側から左側に向かって搬送される。磁気カード４の搬送方向１０は、モータ制御信号５０によりモータ６の回転方向を制御することにより、図の左右どちら向きにも任意に制御できる。
【００１７】
磁気カード４を搬送する駆動系についてより詳しく説明する。モータ６の回転が駆動ベルト７を介して駆動ローラ３ａ，３ｂ，・・・３ｅに伝達され、駆動ローラ３ａ，３ｂ，・・・３ｅが回転する。駆動ローラ３ａと従動ローラ２ａとは、回転軸を互いに平行にして、向かい合って配置されており、対を成す。また、従動ローラ２ａの軸は、駆動ローラ３ａの軸との平行を保持したまま、駆動ローラ３ａの軸との距離が可変であるように支えられていて、駆動ローラ３ａの軸の方向に向かう力で付勢され、従動ローラ２ａは駆動ローラ３ａに押し付けられている。従動ローラ２ａの軸に対し駆動ローラ３ａの軸の方向に向かわせる力、即ち付勢力は、本カードリーダ／ライタの筐体を支点として、従動ローラ２ａの軸を駆動ローラ３ａの軸の方向に押し、または引っ張るバネにより与えられる。従動ローラ２ａと駆動ローラ３ａとの間に磁気カード４が挟まれていないときは、従動ローラ２ａと駆動ローラ３ａとの間には摩擦があるから、駆動ローラ３ａが回転するとき、従動ローラ２ａは駆動ローラ３ａから回転力を受けて回転する。
【００１８】
同様に、駆動ローラ３ｂ，３ｃ，３ｄ及び３ｅは、それぞれ従動ローラ２ｂ，２ｃ，２ｄ及び２ｅと対を成し、磁気カード４が間に挟まれていないとき、従動ローラ２ｂ，２ｃ，２ｄ及び２ｅは駆動ローラ３ｂ，３ｃ，３ｄ及び３ｅからそれぞれ回転力を受けて回転する。
【００１９】
いま、図１および図２に示すように、磁気カード４が駆動ローラ３ａと従動ローラ２ａとの間に挿入されたとする。すると、磁気カード４は、駆動ローラ３ａの回転による力を受け、図の右方向に搬送され、搬送方向の端（前端）側から次の駆動ローラ３ｂと従動ローラ２ｂとの間に挟まれ、一層右方向に搬送され、更に駆動ローラ３ｃと従動ローラ２ｃとの間、駆動ローラ３ｄと従動ローラ２ｄとの間、駆動ローラ３ｅと従動ローラ２ｅとの間に順次挟まれ、右方向に搬送される。従動ローラ２ａ，２ｂ，・・・２ｅは、対を成す駆動ローラ３ａ，３ｂ，・・・３ｅとの間に磁気カード４がそれぞれ挟まれているか否かに応じて、矢印１１方向に上下に動く。モータ６の回転方向を反転し、ベルト７の回転方向を逆転することにより、駆動ローラ３ｅと従動ローラ２ｅとの間に挟まれている磁気カード４を左方向に搬送し、左端の駆動ローラ３ａと従動ローラ２ａとの間から、磁気カード４を左方向に送り出すこともできる。
【００２０】
駆動ローラ３ａと従動ローラ２ａとの間に磁気カード４が挟まれると、磁気カード４の厚み分だけ従動ローラ２ａは図の上方に変位する。変位センサ１ａはその変位を検出し、変位センサ出力１ａ０のレベルを生成する。同様に、駆動ローラ３ｂ，３ｃ，３ｄ及び３ｅと、対応する従動ローラ２ｂ，２ｃ，２ｄ及び２ｅとの間に磁気カード４が挟まれたときは、変位センサ１ｂ，１ｃ，１ｄ及び１ｅは従動ローラ２ｂ，２ｃ，２ｄ及び２ｅの変位を検知し、変位センサ出力１ｂ０，１ｃ０，１ｄ０及び１ｅ０をそれぞれ生成する。変位センサ１ａ，１ｂ，・・・１ｅとしては、良く知られた光学式や磁気式などを用いることができる。
【００２１】
駆動ローラ３ａ，３ｂ，・・・３ｅと従動ローラ２ａ，２ｂ，・・・２ｅとの間に磁気カード４が間に挟まれていないとき、変位センサ出力１ａ０，１ｂ０，・・・１ｅ０のレベルは第１の閾値ｈ１以下である。第１の閾値ｈ１は、従動ローラ２ａ，２ｂ，・・・２ｅが駆動ローラ３ａ，３ｂ，・・・３ｅに接触している状態における変位センサ出力１ａ０，１ｂ０，・・・１ｅ０のレベルの最大値に対応する。駆動ローラ３ａ，３ｂ，・・・３ｅと従動ローラ２ａ，２ｂ，・・・２ｅとの間に磁気カード４が間に挟まれているとき、変位センサ出力１ａ０，１ｂ０，・・・１ｅ０のレベルは第２の閾値ｈ２以上で、かつ第３の閾値ｈ３以下である。第２の閾値ｈ２および第３の閾値ｈ３は、磁気カー４ドの規格における許容最小値および許容最大値にそれぞれ対応する。
【００２２】
図２は、上述のように駆動ローラ３ａ，３ｂ，・・・３ｅと従動ローラ２ａ，２ｂ，・・・２ｅとの間に順次に磁気カード４が挟まれ、図の左端から右端に向かって磁気カード４が搬送されるときおける変位センサ１ａ，１ｂ，・・・１ｅの出力１ａ０，１ｂ０，・・・１ｅ０を示す図である。変位センサ１ａの出力１ａ０は、時刻ｔ１−ｔ２の間には磁気カード４（媒体）が駆動ローラ３ａと従動ローラ２ａとの間に存在することを表している。出力１ａ０の立ち上がりは、磁気カード４の搬送方向の前端が駆動ローラ３ａと従動ローラ２ａとの間に挟まれた時を表し、出力１ａ０の立ち下がりは、磁気カード４の搬送方向の後端が駆動ローラ３ａと従動ローラ２ａとの間から離れた時を表している。同様に、変位センサ出力１ｂ０，１ｃ０，１ｄ０及び１ｅ０の立ち上がり及び立ち下がりは、駆動ローラ３ｂ，３ｃ，３ｄ及び３ｅと、対をなす従動ローラ２ｂ，２ｃ，２ｄ及び２ｅ夫々との間に磁気カード４が挟まれた時およびその間から離脱した時をそれぞれ表している。
【００２３】
変位センサ出力１ａ０，１ｂ０，・・・１ｅ０の振幅は、駆動ローラ３ａ，３ｂ，・・・３ｅと従動ローラ２ａ，２ｂ，・・・２ｅとの間に挟まれた物体の厚みに対応している。そして、カード位置情報生成制御部５に第１の閾値ｈ１、第２の閾値ｈ２および第３の閾値ｈ３を設定しておく。カード位置情報生成制御部５は、変位センサ出力１ａ０，１ｂ０，・・・１ｅ０の振幅が第１の閾値ｈ１より小さいときは、従動ローラ２ａ，２ｂ，・・・２ｅが駆動ローラ３ａ，３ｂ，・・・３ｅに接触している状態、即ち対をなす駆動ローラおよび従動ローラの間に何も挟まれていないと判定する。また、カード位置情報生成制御部５は、変位センサ出力１ａ０，１ｂ０，・・・１ｅ０の振幅が、第１の閾値ｈ１を越えて、第２の閾値ｈ２以上であって、かつ第３の閾値ｈ３以下のレベルに至ったときは、従動ローラ２ａ，２ｂ，・・・２ｅと、駆動ローラ３ａ，３ｂ，・・・３ｅ夫々との間に、即ち対をなす駆動ローラおよび従動ローラの間に、磁気カード４が挟まれていると判定する。
【００２４】
他方、カード位置情報生成制御部５は、変位センサ出力１ａ０，１ｂ０，・・・１ｅ０の振幅が、第１の閾値ｈ１と第２の閾値ｈ２との間の値である時間が、第１の所定時間を越えたて継続したとき、対をなす駆動ローラおよび従動ローラの間に異物が挟まれたと判定し、異常の警告を発生する。また、カード位置情報生成制御部５は、変位センサ出力１ａ０，１ｂ０，・・・１ｅ０の振幅が、第３の閾値ｈ３を越えたときも、対をなす駆動ローラおよび従動ローラの間に異物が挟まれたと判定し、異常の警告を発生する。
【００２５】
例えば、異物がレシートであれば、レシートの厚みは磁気カード４の厚みより薄いので、実施の形態のカードリーダ／ライタにおけるカード位置情報生成制御部５は、変位センサ出力１ａ０，１ｂ０，・・・１ｅ０の振幅に対応する検出物の厚みが第２の閾値ｈ２と第３の閾値ｈ３の間にないと判定し、カード位置情報生成制御部５の出力のモータ制御信号５０により、検出された物体をカード挿入口側から排出する方向にモータ６を回転させ、異物（レシート）をカード挿入口側から外へ排出することができる。
【００２６】
カード位置情報生成制御部５は、変位センサ出力１ａ０，１ｂ０，１ｃ０，１ｄ０及び１ｅ０を受けて、変位センサ出力１ａ０，１ｂ０，１ｃ０，１ｄ０及び１ｅ０から判定される検出物の厚みが第２の閾値ｈ２と第３の閾値ｈ３との間にあるときは、検出物を磁気カード４と判定し、搬送方向における磁気カード４の位置の情報を生成し、この情報に基づき、モータ制御信号５０を生成し、モータ６の回転を制御するとともに、磁気カード４に記録されている情報の読取りまたは磁気カード４への情報の書込みをする。
【００２７】
図１及び図２を参照して説明した実施の形態では、磁気カード４の搬送方向における位置を変位センサ１ａ，１ｂ，・・・１ｅで検出する。図３に示したカードリーダ１００では、磁気カード４の搬送方向における位置を光学式位置検知センサで検出しているので、前述のように、カード搬送路に入り込んだレシート、塵の塊などの異物の影響を受け易く、透明領域のあるカードについては正しい位置情報を生成できず、しかもカード搬送路の両側にカード位置検出センサの部品を配置せざるを得ないという解決するべき課題があったが、本実施の形態ではこれらの課題が全て解決される。
【００２８】
即ち、本実施の形態によれば、磁気カード４にレシート等の異物が付着したり、カードリーダライタ内に溜まった塵の塊がカード搬送路に入り込んだりしても、それらの異物の影響を受けることなく変位センサ１ａ，１ｂ，・・・１ｅにより磁気カード４が駆動ローラおよび従動ローラの間に挟まれた時およびその間から離脱した時を正確に検出できるので、カード位置情報生成制御部５は磁気カード４の位置に関する正しい情報を生成することができる。
【００２９】
また、本実施の形態では、カード位置検出センサとしての変位センサ１ａ，１ｂ，・・・１ｅは、磁気カード４の有無を直接検知するのではなく、磁気カード４が駆動ローラ３ａ，３ｂ，・・・３ｅと従動ローラ２ａ，２ｂ，・・・２ｅとの間に挟まれることによる従動ローラ２ａ，２ｂ，・・・２ｅの変位を検出する。そこで、カード位置検出センサ（変位センサ１ａ，１ｂ，・・・１ｅ）は、埃などの異物が溜まり易いカードの搬送路ではなく、搬送路から離れた位置に配置できる。このように、本実施の形態の採用により、このカード位置検出センサをカードの搬送路から離隔して設置できるので、カード位置の検出において異物の影響を受け難くいという効果が得られる。
【００３０】
また、本実施の形態によれば、磁気カード４の搬送方向における位置を変位センサ１ａ，１ｂ，・・・１ｅで検出し、磁気カード４の不透明性を磁気カード４の位置検出の要件としていないので、透明領域のあるカードでも、そのカードの正しい位置情報も生成できる。
【００３１】
更に、本実施の形態によれば、変位センサ１ａ，１ｂ，・・・１ｅは、図１および図２に示すように、カード搬送路の片側にカード位置検出センサの部品を集約できるので、部品を一体的に構成でき、カード位置検出センサ自体の製造費およびカードリーダ／ライタの組み立て費用の低廉化を可能にする。
【００３２】
本実施の形態において、変位センサ１ａ，１ｂ，・・・１ｅとして、位置検出精度に優れたものを使用すると、変位センサ出力１ａ０，１ｂ０，１ｃ０，１ｄ０及び１ｅ０に基づき、磁気カード４の変形、割れ、欠損などを推測できるので、磁気カード４の読取り、書込みにおいてエラーが生じたときに、カードリーダ／ライタの使用者に対し、磁気カード４における異常の種類や異常の可能性を案内することが可能である。
【００３３】
本実施の形態では、カード位置検出センサとしての変位センサ１ａ，１ｂ，・・・１ｅは、駆動ローラ３ａ，３ｂ，・・・３ｅと従動ローラ２ａ，２ｂ，・・・２ｅとの間に挟まれた物体の厚みを表す変位センサ出力１ａ０，１ｂ０，１ｃ０，１ｄ０及び１ｅ０を生成するので、第１の閾値ｈ１、第２の閾値ｈ２及び、第３の閾値ｈ３を予めカード位置情報生成制御部５に設定しておき、変位センサ出力１ａ０，１ｂ０，１ｃ０，１ｄ０及び１ｅ０と閾値ｈ１，ｈ２及びｈ３とを比較することにより、対を成す駆動ローラと従動ローラとの間に挟まれた物体が磁気カード以外のもの、即ち異物であると判定でき、異物と判定したときは、カード位置情報生成制御部５の出力のモータ制御信号５０により、モータ６を逆転させて、異物を排出することができる。
【００３４】
本発明のカードリーダ／ライタは、磁気カードやＩＣカードといった情報記録カードに対し情報の読取りまたは書込みのうちの少なくとも一方を行う装置である。すなわち、本発明のカードリーダ／ライタは、情報記録カードに記録された情報の読取りのみ装置、情報記録カードに対する情報の書き込みのみを行うカードライタ記録された読取りのみ装置、並びに情報記録カードに記録された情報の読取りおよび情報記録カードに対する情報の書き込みを行う装置の何れにも適用可能である。
【００３５】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、変位センサ出力１ａ０，１ｂ０，１ｃ０，１ｄ０及び１ｅ０が第１の閾値ｈ１を越える時間の長さに基づき、対をなる駆動ローラおよび従動ローラの間に挟まれた物体の種類を推定し、その種類に応じて、カードリーダ／ライタの使用者に適切な案内をするように、カード位置情報生成制御部のプログラムを設計することも可能である。
【符号の説明】
【００３６】
１ａ，1ｂ，・・・1ｅ    変位センサ
１ａ０，１ｂ０，・・・１ｅ０    変位センサ出力
２ａ，２ｂ，・・・２ｅ    従動ローラ
３ａ，３ｂ，・・・３ｅ    駆動ローラ
４    磁気カード
５    カード位置情報生成制御部
５０    モータ制御信号
６    モータ
７    ベルト
【図１】
0005717185.tif 000002
【図２】
0005717185.tif 000003
【図３】
0005717185.tif 000004